(57)【特許請求の範囲】
【請求項１】
商品を陳列する基板と、該基板に載置され、自然状態において常に前方移動状態にある商品押圧板を備える商品前出し体と、を有し、該商品前出し体の底板の裏面又は該基板の上面のいずれか一方又は両方に滑り手段を付設した前出し具本体と、
該前出し具本体とは別途部材の商品仕切り板と、該商品仕切り板とは別途部材の他の商品仕切り板と、を組み合わせて使用するものであって、
該商品仕切り板は、前後方向の中央に切り欠き部が形成された基板と、基板の一側から立設される、内側面に前後方向に延出する突起状物を形成した側板とからなり、該商品仕切り板は該前出し具本体の基板の裏面と設置面との間に存在する隙間に該基板を差し込むことで組み付けられ、
該他の商品仕切り板は、該商品仕切り板とは反対側に配置され、該他の商品仕切り板は内側面に前後方向に延出する突起状物を形成した側板と、該側板の下端中央から水平に延出する該切り欠き部に対応する凸形状の基板とからなることを特徴とする商品自動前出し具。
【請求項２】
前記商品前出し体は、底板と該底板から立設する商品押圧板を備えることを特徴とする請求項１記載の商品自動前出し具。
【請求項３】
該商品仕切り板の基板の前方部に、更に商品転落防止板を付設したことを特徴とする請求項１記載の商品自動前出し具。
【請求項４】
該商品転落防止板が、該商品仕切り板の基板から立設して該基板と一体化されていることを特徴とする請求項３記載の商品自動前出し具。
【請求項５】
該商品前出し体は、該前出し具本体の基板又は該商品仕切り板に形成されたガイド溝に嵌合し、前方への移動がガイドされることを特徴とする請求項１記載の商品自動前出し具。
【請求項６】
自然状態において常に前方移動状態とする手段が、該基板の前方端と該商品前出し体を接続する接続部材により該商品前出し体を前方へ引張る手段であるか、該基板の後方端と該商品前出し体を離す方向に付勢する弾発部材により該商品前出し体を前方へ押し出す手段であるか、又は該基板の商品載置面を前方下り傾斜とする手段であることを特徴とする請求項１記載の商品自動前出し具。
【請求項７】
該滑り手段が、ローラー、前後方向に延出するリブ部材又は滑り材であることを特徴とする請求項１項記載の商品自動前出し具。
【発明の詳細な説明】
【技術分野】  本発明は、スーパーなどで使用される陳列商品の取り出しや新しい商品の補充を容易にする商品自動前出し具に関するものである。
【背景技術】  スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法や装置が種々提案されている。
例えば登録実用新案第３０４３２８８号公報には、固定されている商品陳列棚の棚全体を、ワンタッチで手前への引き出しを可能とし、陳列商品の前面への再整列、整理整頓、並びに補充業務を安全、迅速かつ正確に実施できる新器具が開示されている。この新器具は回転車を組み込んだ中継具と、既存の陳列棚支持具に相当する逆Ｌ字型基軸盤、更に２種類の器具を包み込む支持器カバーを設け、これらの器具を一体として組み込んだものである。また、商品陳列棚が前後方向に移動するのではなく、固定された商品陳列棚に商品前出し機能を有する商品前出し体を設置して、陳列商品を自動的に前に押し出すものも知られている。
【特許文献１】登録実用新案第３０４３２８８号公報（請求項１）
しかしながら、登録実用新案第３０４３２８８号公報記載の新器具は、中継具の中に回転車を組み込んでいるなど構造が複雑であり、製造コストが高いという問題がある。また、従来の商品前出し体は、前方下り傾斜の陳列面に設置され且つ錘を載せたものであるため、前方への押圧力が小さく、前後方向に多量の商品が並ぶ場合には、商品を前方へ確実に送り出すことはできなかった。
従って、本発明の目的は、商品が前後方向に多量に並ぶ場合であっても、陳列商品を自動的に確実に前に送り出す作用力があり、作業者の前出し作業の労力を軽減すると共に、顧客にとっては商品が取り出し易い商品自動前出し具を提供することにある。
【発明の開示】
すなわち、本発明（１）は、商品を陳列する基板と、該基板に載置され、自然状態において常に前方移動状態にある商品前出し体と、を有し、該商品前出し体の該底板の裏面又は該基板の上面のいずれか一方又は両方に滑り手段を付設した商品自動前出し具を提供するものである。
また、本発明（２）は、前記商品前出し体は、底板と該底板から立設する商品押圧板を備える前記商品自動前出し具を提供し、また、本発明（３）は、該基板の側部に、更に商品仕切り板を付設した前記商品自動前出し具を提供し、また、本発明（４）は、該商品仕切り板は該基板から立設して該基板と一体化されており、該商品仕切り板と該基板で形成される正面視形状が、Ｌ字形状又は逆Ｔ字形状である前記商品自動前出し具を提供し、また、本発明（５）は、該基板の前方部に、更に商品転落防止板を有する前記商品自動前出し具を提供し、また、本発明（６）は、該商品転落防止板が、該基板から立設して該基板と一体化されて前記商品自動前出し具を提供し、また、本発明（７）は、該商品前出し体は、該基板又は該商品仕切り板に形成されたガイド溝に嵌合し、前方への移動がガイドされる前記商品自動前出し具を提供し、また、本発明（８）は、自然状態において常に前方移動状態とする手段が、該基板の前方端と該商品前出し体を接続する接続部材により該商品前出し体を前方へ引張る手段であるか、該基板の後方端と該商品前出し体を離す方向に付勢する弾発部材により該商品前出し体を前方へ押し出す手段であるか、又は該基板の商品載置面を前方下り傾斜とする手段である前記商品自動前出し具を提供し、また、本発明（９）は、該滑り手段が、ローラー、前後方向に延出するリブ部材又は滑り材である前記商品自動前出し具を提供し、また、本発明（１０）は、該基板の少なくとも一方の側には、幅調整用の副基板が付設されている前記商品自動前出し具を提供し、また、本発明（１１）は、該基板の少なくとも一方の側には、幅調整用の副基板が収納自在に嵌合されている前記商品自動前出し具を提供し、また、本発明（１２）は、該基板は左右方向に２つ又は３つに縦分断されたパーツ部材で形成され、該パーツ部材を互いに適宜のピッチ離間して設置する前記商品自動前出し具を提供し、また、本発明（１３）は、別途部材の商品仕切り板と組み合わせて使用する前記商品自動前出し具を提供するものである。
【図面の簡単な説明】  第１図は、本発明の実施の形態における商品自動前出し具の斜視図であり、第２図は、本発明の他の実施の形態における商品自動前出し具の斜視図であり、第３図は、本発明の他の実施の形態における商品自動前出し具の斜視図であり、第４図は、本発明の他の実施の形態における商品自動前出し具の斜視図であり、第５図は、本発明の他の実施の形態における商品自動前出し具の斜視図であり、第６図は、本発明の他の実施の形態における商品自動前出し具の斜視図であり、第７図は、本発明の他の実施の形態における商品自動前出し具の一部を省略した斜視図であり、第８図は、本発明の他の実施の形態における商品自動前出し具の一部を省略した斜視図であり、第９図は、本発明の他の実施の形態における商品自動前出し具の一部を省略した斜視図であり、第１０図は、本発明の他の実施の形態における商品自動前出し具の一部を省略した斜視図であり、第１１図は、本発明の他の実施の形態における商品自動前出し具の一部を省略した斜視図であり、第１２図は、本発明の他の実施の形態における商品自動前出し具の斜視図であり、第１３図は、第３図の商品自動前出し具で用いる商品前出し体の裏面から見た一部の斜視図であり、第１４図は、本発明の他の実施の形態における商品自動前出し具の一部を省略した斜視図であり、第１５図は、本発明の他の実施の形態における商品自動前出し具の一部を省略した斜視図であり、第１６図は、第１５図の商品自動前出し具の分解図であり、第１７図は、第１４図の商品自動前出し具で用いる商品前出し体の後方斜視図であり、第１８図は、第１４図の商品自動前出し具を横から見た断面図であり、第１９図は、本発明の他の実施の形態における商品自動前出し具の一部を省略した斜視図であり、第２０図は、第１９図の商品自動前出し具の分解図である。
【発明を実施するための最良の形態】  次に、本発明の実施の形態における商品自動前出し具を第１図〜第２０図を参照して説明する。第１図は第１の実施の形態における商品自動前出し具の斜視図、第２図〜第２０図は本発明の他の実施の形態における商品自動前出し具の斜視図、第１３図は第３図で用いる商品前出し体の裏面から見た一部の斜視図である。本明細書において、「前」は商品を取り出す側、すなわち顧客側を言い、「後」はその反対側を言う。左右は前側から見た方向を言う。なお、第１８図においては、第１４図には記載のない商品転落防止板１６３を理解をし易いように示した。
第１図中、商品自動前出し具１０は、商品を陳列する基板１と、基板１に載置され、自然状態において常に前方移動状態にある商品前出し体２を有し、商品前出し体２が設置される基板１の上面に滑り手段であるローラー４を前後方向に多数付設したものである。なお、滑り手段としては、ローラーの他、前後方向に延出するリブ部材及び滑り材が挙げられる。滑り材は通常の鋼板に摩擦低減効果のある被覆剤をコーティングしたもの、フッ素系樹脂などの低摩擦材、あるいはエンボス加工面など接触面積を低減させるものなどが挙げられる。
すなわち、商品自動前出し具１０の基板１は中央部が所定の幅と長さにくり抜かれた長穴１２（ガイド溝）を有し、前方端に下方に屈曲した係合片１６を有する。基板１の長穴１２の両側の上面には、ローラー４が前後方向に多数付設されている。また、基板１の左側端から立設して基板１と一体化される商品仕切り板５を有し、商品仕切り板５と基板１で形成される正面視形状がＬ字形状を呈している。なお、基板１と商品仕切り板５の一体化の形態としては、両者の連続一体化物である他、例えば、基板１に形成された溝や穴に商品仕切り板５が嵌合する形態であってもよい。
商品前出し体２は、幅寸法が基板１の幅寸法と略同じの矩形状の底板２１と底板２１の後方端から立設する幅寸法が基板１の幅寸法と同じの矩形状の商品押圧板２２を備え、左側面視形状が略Ｌ字形状である。なお、商品前出し体２の形態はこれに限定されず、例えば底板２１が商品押圧板２２の下端から後方へ延出する右左側面視形状が略Ｌ字形状であってもよいし、また底板２１の中央から商品押圧板２２が立設する逆Ｔ字形状であってもよい。更に底板２１の裏面中央には基板１の長穴１２に遊嵌するガイド板２５が付設されている。これにより、商品前出し体２の直進性が担保される。また、基板１の長穴の先端部１２１と商品前出し体２の商品押圧板２２は、帯状鋼板３（接続部材）で接続され商品前出し体２が前方に引っ張られるようになっている。すなわち、商品押圧板２２の裏面には、商品前出し体２が前方に移動するにつれ、帯状鋼板３を巻回して収納するぜんまい収納部（第１３図の符号２９参照）を有する。なお、接続部材が接続される箇所としては、一端が基板の前方側部材であり、他方が商品前出し体２であれば特に制限されない。
商品前出し体２は底板の裏面には滑り部材は付設されていないものの、基板１のローラー４上に乗せられており、且つガイド板２５が基板１の長穴１２に遊嵌しており、且つ帯状鋼板３により商品前出し体２を前方へ引っ張っているため、自然状態において常に前方移動状態にあり、商品押圧板２２の前方に載置された陳列商品を前出し状態にしている。なお、商品自動前出し具１０は既存の商品陳列棚に設置されるものであり、該商品陳列棚の前方に設置されている商品転落防止板により、最前列の商品が棚から転落することはない。また、接続部材としては、特に制限されず、帯状鋼板以外に、例えばゴムなどが挙げられる。このように構成される商品自動前出し具１０は、商品が前後方向に多量に並ぶ場合であっても、陳列商品を自動的に確実に前に送り出す作用力があり、顧客にとっては手前にある商品を取り出し易い。また、陳列商品Ａはローラー４上で滑り易く、帯状鋼板３の付勢力は弱くてよく、作業者が商品を補充する際、商品前出し体２を軽く後方へ押せばよいため、作業労力を軽減することができる。なお、商品自動前出し具１０を既存の商品陳列棚に設置する方法としては、特に制限されず、単に載せる方法、接着剤または両面接着テープにより固定設置する方法、商品陳列棚の形成された嵌合溝又は嵌合穴に商品自動前出し具１０の基板に付設された嵌合突起を嵌合させる方法等が挙げられる。また、既存の商品陳列棚に商品自動前出し具１０を複数個並列して設置することもできる。
次に、本実施の形態における他の商品自動前出し具を第２図〜第２０図を参照して説明する。第２図〜第２０図において、第１図と同一構成要素には同一符号を付してその説明を省略し異なる点について主に説明する。なお、第２図〜第２０図において、商品押圧板２２の前方に載置される商品は、図面の描写を簡略化するため、その記載を省略した。すなわち、第２図の商品自動前出し具１０ａにおいて、第１図の商品自動前出し具１０と異なる点は、商品転落防止板６を基板１の前方端から立設して基板１と一体的に形成した点、基板１の上面に付設される滑り部材をリブが前後方向に延出し且つ左右方向に多数付設されるリブ状部材４ａとすると共に、商品押圧板２２の底板２１の裏面にローラー２３を配設した点にある。なお、商品自動前出し具１０ａにおいて、商品押圧板２２の底板２１の裏面に付設されるローラー２３の設置を省略するか、又は基板１の上面に付設されるリブ状部材４ａの設置を省略することができる。なお、商品押圧板２２の底板２１の裏面（基板との当接部）にローラー等の滑り部材を付設する形態としては、上記の他、例えば商品押圧板２２の底板２１の側面に小さな車輪を付設したものであってもよい。商品自動前出し具１０ａによれば、商品前出し体２の滑りが更に円滑になると共に、前方商品転落防止板のない商品陳列棚であっても、本発明の優れた効果が得られる。
第３図の商品自動前出し具１０ｂにおいて、第１図の商品自動前出し具１０と異なる点は、商品前出し体２の底板２１及び商品押圧板２２の幅寸法を基板１の長穴１２の幅寸法よりやや大きい程度とし、底板２１の裏面と基板１のローラー４は接触しないようにした点、及び底板２１の裏面にローラー部材２３（第１３図参照）を付設した点にある。なお、底板２１の裏面のローラー２３は、商品自動前出し具１０ｂを、既存の商品陳列棚に設置した場合、ローラー２３が該商品陳列棚面上を転がるようにする。商品自動前出し具１０ｂによれば、商品前出し体２の底板２１に乗る商品もその両側部分がローラー４上に乗るため、更に円滑に前出しができる。なお、本発明の「基板に載置され」とは、第３図の商品自動前出し具１０ｂのように、商品前出し体２の底板２１の両側縁が長穴１２周りの基板の一部にかかるような載置形態も含まれる。
第４図の商品自動前出し具１０ｃにおいて、第３図の商品自動前出し具１０ｂと異なる点は、基板の形状を、載置面が前方傾斜となるような三角形断面の箱状物とした点にある。商品自動前出し具１０ｃによれば、載置商品を前方に移動させる作用力が、商品自動前出し具１０ｂより一層高まるため、商品自動前出し具１０ｂと同様の効果を奏する。
第５図の商品自動前出し具１０ｄにおいて、第１図の商品自動前出し具１０と異なる点は、基板本体部１１の幅寸法をやや小さくした点、基板の前方端に商品転落防止板６を設置した点、基板１を商品仕切り板５の左側であって、基板本体部１１と連続する基板副部材１２を更に付設し、基板１と商品仕切り板５で構成される形状を、正面視で略逆Ｔ字形状とした点にある。なお、基板副部材１２にはローラー部材４が付設されている。商品自動前出し具１０ｄによれば、幅寸法の小さな商品の前出しに好適であると共に、更に同じ形状の商品自動前出し具１０ｄを横並びに設置すれば、幅寸法の大きな商品の前出しも行うことができる。
第６図の商品自動前出し具１０ｅにおいて、第５図の商品自動前出し具１０ｄと異なる点は、別途の部材である商品仕切り板５ａを用意し、設置状態において２つの商品仕切り板５ａを組み合わせて用いる点、及び基板副部材１２を省略した点にある。なお、商品仕切り板５ａの前方下方には不図示の商品陳列棚の係合溝に係合する係合片５１ａが付設されている。商品自動前出し具１０ｅによれば、既設の商品仕切り板を用いることもできる。
第７図の商品自動前出し具１０ｆにおいて、第１図の商品自動前出し具１０と異なる点は、基板１の左右の両側には、幅調整用の副基板が収納自在に嵌合されている点にある。なお、第７図〜第１１図中、商品前出し体は図面描写の簡略化のため、その記載を省略したが、その形状及び設置形態は第１図〜第６図のいずれのもであってもよい。すなわち、基板１は左右両側部に開口を有し、奥行き方向（基板の中央部に向かう方向）において、開口から長穴１２の手前までが幅調整用の副基板５１、１３が収納自在に嵌合するようになっている。開口は開口を形成するような枠体である必要はなく、第１図に示すように、基板１の裏面と陳列棚面との間に存在する隙間であってもよい。すなわち、第７図中、右側の副基板１３は基板１の右側ケース内に収納状態となっており、左側の副基板５１は基板１の左側ケースから飛びだした状態となっている。なお、右側の副基板１３を基板１の右側ケースから飛び出した状態にすることもでき、左側の副基板５１を基板１の左側ケース内に収納することもできる。また、両側の副基板５１、１３を基板１のケース内に収納することも、両側の外側へ飛びだすようにすることもできる。また、適宜の位置で固定して幅調整することもできる。なお、幅調整用の副基板５１、１３の上面には、滑り手段が付設されていても、いなくともよい。商品自動前出し具１０ｆによれば、陳列商品の幅寸法に応じた陳列が可能となる。
第８図の商品自動前出し具１０ｇにおいて、第２図の商品自動前出し具１０ａと異なる点は、基板１の右側には、幅調整用の副基板１３が収納自在に嵌合されている点にある。すなわち、基板１は右側部に開口を有し、奥行き方向（基板の中央部に向かう方向）において、開口から長穴１２の手前までが幅調整用の副基板１３が収納自在に嵌合するようになっている。すなわち、第８図中、右側の副基板１３は基板１の右側ケースから飛びだした状態となっている。また、副基板１３の上面にはリブ状の滑り手段４ａが形成されていると共に、前後両端部には別途の仕切り板の係合片が係合する係合溝５２が形成されている。なお、右側の副基板１３を基板１の右側ケース内に収納することもでき、任意の位置で固定することもできる。商品自動前出し具１０ｇによれば、陳列商品の幅寸法に応じた陳列が可能となると共に、商品の前方への移動を円滑な状態に維持できる。
第９図の商品自動前出し具１０ｈにおいて、第１図の商品自動前出し具１０と異なる点は、基板１は左右方向に３つに縦分断された形態であって、左ローラー４を有する第１パーツ部材１１１、長穴１２が形成された第２パーツ部材１１２、及び右ローラー４を有する第３パーツ部材１１３で形成され、第２パーツ部材１１２が前方の桟部材１４ａ及び後方の桟部材１４ｂの中央で固定され、第１パーツ部材１１１及び第３パーツ部材１１３が桟部材１４ａ及び後方の桟部材１４ｂに対して、左右方向に移動自在に嵌合されている。なお、３つのパーツ部材１１１〜１１３と桟部材１４ａ、１４ｂの接続形態としては、上記の形態に制限されず、第１パーツ部材１１１と桟部材１４ａ、１４ｂが第９図のような状態で固定され、第２パーツ部材１１２と第３パーツ部材１１３が桟部材１４ａ、１４ｂに移動自在に嵌合するようなものであってもよい。商品自動前出し具１０ｈによれば、陳列商品の幅寸法に応じた陳列が可能となる。
第１０図の商品自動前出し具１０ｉにおいて、第８図の商品自動前出し具１０ｇと異なる点は、基板１の滑り部材がローラーである点、及び幅調整用の副基板１３の上面の全面が、前後方向にリブが延出し且つ左右方向に多数付設されるリブ状部材４ｂとした点にある。商品自動前出し具１０ｉによれば、陳列商品の幅寸法に応じた陳列が可能となると共に、商品の前方への移動を円滑な状態に維持できる。
第１１図の商品自動前出し具１０ｊにおいて、第１０図の商品自動前出し具１０ｉと異なる点は、基板１を商品仕切り板５の左側であって、基板本体部１１と連続する基板副部材１２を更に付設し、基板１と商品仕切り板５で構成される形状を、正面視で略逆Ｔ字形状とした点にある。商品自動前出し具１０ｊによれば、陳列商品の幅寸法に応じた陳列が可能となると共に、商品の前方への移動を円滑な状態に維持できる。また、更に同じ形状の商品自動前出し具１０ｊを横並びに設置すれば、幅寸法の更に大きな商品の前出しも行うことができる。
第１２図の商品自動前出し具１０ｋにおいて、第２図の商品自動前出し具１０ａと異なる点は、基板１を長穴の無い全面リブ部材４ａ敷きとした点、商品前出し体２を底板２１と底板２１の中央から立設する商品押圧板２２からなる逆Ｔ字形状とし、底板２１の裏面全面にローラー２３を付設し、更にガイド板２５を省略した点、商品仕切り板５ａを中央部が所定の幅と長さにくり抜かれた長穴１２ａ（ガイド溝）を有し、該長穴１２ａの先端部に帯状部材３の一端を固定し、他端の巻回し収納部を商品押圧板２２の裏面に設置した（不図示）点にある。商品前出し体２は接続部材３の前出し機能と共に、商品押圧体２２の底板２１裏面に付設されたローラー２３が第２滑り手段であるリブ部材４ａと当接しているため、自然状態において常に前方移動状態にあり、商品押圧板２２の前方に載置された商品を前出し状態にしている。なお、商品自動前出し具１０ｋにおいて、基板１上のリブ状部材４ａは省略することもでき、また滑り材とすることもできる。
第１４図の商品自動前出し具１０ｌにおいて、第２図の商品自動前出し具１０ａと異なる点は、商品前出し体２の形状を変更した点、商品仕切り板５の内側面に前後方向に延出する上下２条の突起状物５１、５１を形成した点、基板１上のリブ部材の設置数を４つとした点、基板１の前方端には商品転落防止板が嵌め込まれる溝付き前方部材１６ａを配置した点にある。第１７図は商品前出し体２の裏面から見た斜視図を示し、第１８図は商品自動前出し具１０ｌの断面図を示すが、商品前出し体２は底板２１と、底板２１の前方端から上方へ延出し更に後方へやや傾斜した商品押圧板からなり、裏側に設置された両側部材２２ａと２２ｂ及び中間リブ部材２２ｃ、２２ｄとで、裏側収容部２２ｅ、２２ｆ及び２２ｇを形成している。中央収容部２２ｆには軸受け２９１に軸支される帯状鋼板巻取り巻き出し部２９が収容され、両側の収容部には前後回転ローラー２３、２３がそれぞれ収容されている。また、底板２１の裏側には長穴１２に嵌合する嵌合片２５ａが付設されている。なお、商品仕切り板５の内側面に形成された上下２条の突起状物５１、５１は、陳列商品との接触を低減して、陳列商品の押圧力を少なくしたものである。商品自動前出し具１０ｌにおいても、前述の商品自動前出し具と同様の効果を奏する。
第１５図の商品自動前出し具１０ｍにおいて、第１４図の商品自動前出し具１０ｌと異なる点は、商品自動前出し具１０ｌの商品仕切り板５を切り離し、別途の商品仕切り板として前出し具本体９０と組み合わせる形態とした点及び前方部材１６ａは商品仕切り板５に付設した点にある。また、基板１の図中、右側底面の中央には前方の切り欠き１１６と後方の切り欠き１１６により、係合片１１４を形成している。すなわち、商品自動前出し具１０ｍは、前出し具本体９０に一方の商品仕切り板５（第１５図中、左側）又は他方の商品仕切り板５ｂ（第１５図中、右側）を任意に組み合わせることができる。商品仕切り板５は中央に切り欠き部５３を有する基板５２と、基板５２の一側から立設される側板５５と、基板５２の前方端に位置する商品転落防止板装着溝１６１を有する商品転落防止板装着部１６ａとからなる（第１６図参照）。商品仕切り板５は前出し具本体９０の基板１の裏側に基板５２を差し込むことで組み付けられる。商品仕切り板５は前出し具本体９０の基板１に対してスライド自在であるため、陳列される商品の幅寸法に合わせて任意の位置で固定できる。また、商品仕切り板５ｂは側板５５と側板の下端中央から水平に延出する基板１１２とからなり、基板１１２にはスリット１１３が形成されている。商品仕切り板５ｂは前出し具本体９０の基板１の係合片１１４に基板１１２のスリット１１３を差し込むことで組み付けられる。これらの商品自動前出し具１０ｌ、１０ｍの使用方法の一例としては、既存の商品陳列棚に対して、左端には商品自動前出し具１０ｌを設置し、その右側、すなわち、中央部分には前出し具本体９０又は商品仕切り板５を組み付けた前出し具本体９０を多数並べ、そして右端には商品仕切り板５ｂを組み付けた前出し具本体９０又は商品自動前出し具１０ｍを設置する形態が適用できる。
第１９図の商品自動前出し具１０ｐにおいて、第１５図の商品自動前出し具１０ｍと異なる点は、両側に設置される商品仕切り板の基板に左右方向、所定のピッチで多数のスリット５４を形成させることにより、陳列される商品に幅寸法に合わせて設置幅を調整できるようにしたものである。なお、前出し具本体９０の基板の両側部材の底面は、商品仕切り板５、５ｃの基板５２が差し込まれるよう切り欠かれている（不図示）。これらの商品自動前出し具１０ｌ、１０ｐの使用方法としては、前記商品自動前出し具１０ｌ、１０ｍの使用方法の例示の形態と同様のものが挙げられる。
【産業上の利用可能性】  本発明の商品自動前出し具をスーパーやドラッグストアなどの商品陳列棚面に設置すれば、基板上に商品が前後方向に多量に並ぶ場合であっても、陳列商品を自動的に確実に前に送り出す作用力があり、作業者の前出し作業の労力を軽減すると共に、顧客にとっては商品が取り出し易いものとなる。
【図１】
0004999159.tif 000002
【図２】
0004999159.tif 000003
【図３】
0004999159.tif 000004
【図４】
0004999159.tif 000005
【図５】
0004999159.tif 000006
【図６】
0004999159.tif 000007
【図７】
0004999159.tif 000008
【図８】
0004999159.tif 000009
【図９】
0004999159.tif 000010
【図１０】
0004999159.tif 000011
【図１１】
0004999159.tif 000012
【図１２】
0004999159.tif 000013
【図１３】
0004999159.tif 000014
【図１４】
0004999159.tif 000015
【図１５】
0004999159.tif 000016
【図１６】
0004999159.tif 000017
【図１７】
0004999159.tif 000018
【図１８】
0004999159.tif 000019
【図１９】
0004999159.tif 000020
【図２０】
0004999159.tif 000021